(57)【要約】【課題】軽く、通気性がよく、夏冬通して快適に使用できる敷き布団を提供する。【解決手段】合成繊維からなり三次元立体編み物構造を有するクッション層と、ポリエステル製の綿を加熱圧縮し、且つ全面に適宜な孔部を形成した固綿層と、該固綿層に接して設けられた綿生地とを順に積層し、布団縫製用糸材により縫製される。また固綿層は、融点の異なる複数のポリエステル製の綿と、該綿より低融点のバインダーとを攪拌して形成した綿材を層状に積層し、前記バインダーの融点で加熱して形成される。【選択図】        図１
2010246575.tif 000002
【特許請求の範囲】
【請求項１】
合成繊維からなり三次元立体編み物構造を有するクッション層と、ポリエステル製の綿を加熱圧縮し、且つ全面に適宜な貫通孔部を形成した固綿層と、該固綿層に接して設けられた綿生地とを順に積層し、布団縫製用糸材により縫製されたことを特徴とする敷き布団。
【請求項２】
前記固綿層は、ポリエステル製の綿を加熱圧縮し、且つ貫通孔部が形成されない固綿であることを特徴とする請求項１記載の敷き布団。
【請求項３】
前記固綿層は、融点の異なる複数のポリエステル製の綿と、該綿より低融点のバインダーとを攪拌して形成した綿材を層状に積層し、前記バインダーの融点で加熱して形成した固綿であることを特徴とする請求項１乃至２に記載の敷き布団。
【発明の詳細な説明】
【技術分野】
【０００１】
本発明は、敷き布団に関し、とくに夏季の睡眠時に熟睡することが可能な、敷きふとんに関するものである。
【背景技術】
【０００２】
近年、敷き布団の中綿材として、ポリエステル綿材が広く使用されている。この素材は旧来の天然素材である綿と比較して軽量であり、しかも安価なものである。
【０００３】
しかしながら、夏季の睡眠時に上記の敷き布団を使用すると、利用者は背中に汗をかき、またポリエステル綿材は吸湿性が悪く蒸れやすいため熟睡できず、朝の目覚めが悪いという問題があった。また、ポリエステル綿材は弾力性に欠け、時間と共にへたり易いという問題もある。
【０００４】
そこで、ポリエステル原料等の合成製綿を適度な弾力性と粘りを持つ腰があるように圧し固めて固綿にしてなる弾力性厚板状体の全面に亘って適宜平面形状の穿孔を上下左右方向に連続的に並列、配設して網の目状に成形した中心材が提案されている（特許文献１参照。）。また、保温性及びクッション性が良好で綿、ウール等の繊維体を中心材として作成した保温用敷きふとん部と、通気性が良好でクッション性が前記保温用敷きふとん部よりも硬い支持強度を持った通気性式ふとん部とからなり、前記両敷きふとん部を施設して止着した敷きふとんもある（特許文献２参照。）。
【先行技術文献】
【特許文献】
【０００５】
【特許文献１】実録３０９４０１９号公報
【特許文献２】実開平５−６８３５９号公報
【発明の概要】
【発明が解決しようとする課題】
【０００６】
しかしながら、上記特許文献１に提案されている中心材は、ポリエステル原料の合成製綿を使用し、固綿に加工を行い、上下左右方向に連続的に穿孔を形成して、通気性と弾力性をもたせたものであるが、この中心材を使用して利用者が熟睡できる構造に関しては何らの技術的な開示がなかった。また、上記特許文献２に記載の敷きふとんは、保温用敷きふとん部と、通気用敷きふとん部とを互いに背設して止着する構造であり、両ふとん部に複数の素材を必要とし、製造コストと時間がかかるという問題点もあった。
【０００７】
本発明は、上記の問題点に鑑みなされたもので、簡単な構造で製造しやすく、しかも夏季の睡眠時に熟睡することができる敷き布団を提供する。
【課題を解決するための手段】
【０００８】
このため本発明の敷き布団は、合成繊維からなり三次元立体編み物構造を有するクッション層と、ポリエステル製の綿を加熱圧縮し、且つ全面に適宜な貫通孔部を形成した固綿層と、該固綿層に接して設けられた綿生地とを順に積層し、布団縫製用糸材により縫製されたことを第一の特徴とする。
【０００９】
また、前記固綿層は、融点の異なる複数のポリエステル製の綿と、該綿より低融点のバインダーとを攪拌して形成した綿材を層状に積層し、前記バインダーの融点で加熱して形成した固綿であることを第二の特徴とする。
【００１０】
尚、上記固綿は貫通孔部が形成されないものでもよく、また、この三次元立体編み物構造のクッション層、及び固綿層の厚みはいずれも１０〜２０ｍｍのものが望ましい。
【発明の効果】
【００１１】
本発明の敷き布団によれば、三次元立体編み物構造を有するクッション層と、全面に適宜な貫通孔部を形成した固綿層と、綿生地とを積層し縫製して構成されているため、利用者の荷重によるクッション層の変形が緩和され、クッション層に身体が沈み込むことがなく、風通しがよいという優れた効果を有する。
【００１２】
また、前記固綿層には全面に適宜な貫通孔部が形成されており、敷き布団の厚み方向の通気性が得られるため、湿気が溜まることがいためく、とくに夏季の睡眠時は快適であるという優れた効果を有する。
【図面の簡単な説明】
【００１３】
【図１】本発明の敷き布団の一実施例を示す斜視図である。
【図２】図１の部分断面説明図である。
【図３】固綿層を示す説明図である。
【図４】本発明の敷き布団の一実施例を示す断面説明図である。
【発明を実施するための形態】
【００１４】
以下、本発明の敷き布団を一実施例に基づいて説明するが、本発明が本実施例に限定されないことは言うまでもない。図１は本発明の敷き布団の一実施例を示す斜視図、図２は図１の部分断面説明図、図３は固綿を示す説明図、図４は本発明の敷き布団の一実施例を示す断面説明図である。
【実施例１】
【００１５】
図１乃至図２は、本発明の敷き布団を示しており、図１は斜視図、図２は図１の部分断面説明図である。図に示すように本発明の敷き布団１は、ポリエステル繊維を三次元立体編み物構造に形成したクッション層２と、ポリエステル繊維製綿からなる固綿層３と、綿製のプリント生地４の３層から構成されている。
【００１６】
クッション層２は、厚さ１０ｍｍの旭化成せんい製のポリエステル三次元立体編み物（商品名）「フュージョン」等が好適に使用でき、柱・筋違構造によって優れた形態保持特性と弾力性とを合わせ持っており、しかも三次元立体編み物構造によって通気性に優れる。
【００１７】
固綿層３は、ポリエステル綿材を加熱圧縮して構成された厚さ１０ｍｍの固綿であり、２種のポリエステル綿材と、このポリエステル綿材と比較して低融点のバインダー繊維とを既存の製綿装置によってシート状にされた薄綿を複数積層して加熱、圧着、冷却を行なうことによって１０ｍｍ厚の固綿に加工される。
【００１８】
プリント生地４は、通常の綿１００％の生地であり、クッション層２と固綿層３を順に積層して、固綿層３側に配置され、周囲をプリント生地４と同じ生地からなる縁部材５によって覆われて縫合される。尚、本敷き布団１のクッション層２と固綿層３とプリント生地４との縫製の際に、敷き布団１の中央部では中綴やキルティングを行なわないため、通気性が良い。
【００１９】
図３は固綿を示す説明図であり、上述したポリエステル繊維で構成された固綿層３の表面から貫通して略菱形の孔部６が金型等によって多数形成されている。この構成によって固綿層３は表面から裏面への通気が向上すると共に、軽量化が図れる。尚、孔部６の形状は菱型に限らず、他の形状であってもかまわない。
【００２０】
上記構成の敷き布団を夏季に使用する場合には、利用者はクッション層を表側として使用し、例えば既存の敷き布団の上に重ねて使用することができる。この構成によって利用者は就寝時に身体が沈むことがなく、また上記の通気性に優れるクッション層と固綿層の積層体によって風通しが良く、蒸れることが無く快適に睡眠できる。さらに、冬季においては、クッション層を下にしてプリント生地を表側として使用することによって身体の熱が外部に放散することが無く、快適な睡眠が可能となる。
【００２１】
図４は、本発明の敷き布団の他の実施例を示す断面説明図であり、上述した敷き布団１とクッション層２、プリント生地４は同等である。また固綿層３はポリエステル綿材を加熱圧縮して厚さ１０ｍｍに形成したものであり、上記実施例と異なり、略菱形の孔部は形成されていない。
【００２２】
この構成からなる、敷き布団は上述した実施例と同様に、利用者はクッション層を表側として使用し、例えば既存の敷き布団の上に重ねて使用することができる。この構成によって利用者は就寝時に身体が沈むことがなく、また上記の通気性に優れるクッション層と固綿層の積層体によって風通しが良く、蒸れることが無く快適に睡眠できる。しかも、冬季においては、クッション層を下にしてプリント生地を表側として使用することによって通常の敷き布団と同様に快適な睡眠が可能となる。
【００２３】
以上本発明による敷き布団は、三次元立体編み物構造を有するクッション層と、ポリエステル製の綿を加熱圧縮し、且つ全面に適宜な貫通孔部を形成した固綿層と、該固綿層に接して設けられた綿生地とを順に積層し、布団縫製用糸材により縫製したため、利用者が夏季に快適な睡眠ができる。
【符号の説明】
【００２４】
１              敷き布団
２              クッション層
３              固綿層
４              プリント生地
５              縁部材
６              孔部
【図１】
2010246575.tif 000003
【図２】
2010246575.tif 000004
【図３】
2010246575.tif 000005
【図４】
2010246575.tif 000006